(57)【要約】【課題】パチンコ店等の遊技場においてタバコの煙等をすばやく確実に取り込んで好適に脱臭・浄化することのできるとともに、プラスに帯電した塵埃が遊技台等に吸着して汚損することを防ぎ、かつフィルタの掃除や部品の交換保守を容易に行うことができる空気浄化装置の提供を目的とする。【解決手段】パチンコやスロットマシン等の遊技台の上部に設置され、タバコの煙等を吸い込む吸気部５、該吸気部の後段に配設され吸気された空気中の比較的大きめの塵埃を吸着するプレフィルタ６、該プレフィルタの後段に配設され除塵及び吸着脱臭を行う多機能フィルタ７、該多機能フィルタの後段に配設され空気中のガス状成分を分解する光触媒手段９と負イオンを放出することで正電荷に帯電している塵埃を除電して遊技台等への塵埃付着を抑える負イオン発生手段１２、浄化された空気を排気する排気部１５とから空気清浄装置１を構成する。【選択図】図２
2006281169.tif 000002
【特許請求の範囲】
【請求項１】
パチンコやスロットマシン等の遊技台の上部に設置され、タバコの煙等を吸い込む吸気部、該吸気部の後段に配設され吸気された空気中の比較的大きめの塵埃を吸着するプレフィルタ、該プレフィルタの後段に配設され除塵及び吸着脱臭を行う多機能フィルタ、該多機能フィルタの後段に配設され空気中のガス状成分を分解する光触媒手段と負イオンを放出することで正電荷に帯電している塵埃を除電して遊技台等への塵埃付着を抑える負イオン発生手段、浄化された空気を排気する排気部とからなることを特徴とする空気浄化装置。
【請求項２】
吸気部の吸気流路の全部又は一部には、立ち上がるタバコの煙をより速く捕集し吸引するためにプレフィルタ部分の空気流路の断面積よりも空気流通断面積を小さくしてなる吸気流路部を形成したことを特徴とする請求項１記載の空気浄化装置。
【請求項３】
開閉自在な蓋部を前面に設け、プレフィルタ、多機能フィルタ、光触媒手段の交換及び保守点検を容易にすることを特徴とする請求項１記載の空気浄化装置。
【請求項４】
吸気部の吸気流路部には、開口先端の吸気口に向かって開口面積を拡げてなる広口部を形成し吸気する空気の乱流を防ぐことを特徴とする請求項２記載の空気浄化装置。
【請求項５】
吸気部は空気浄化装置本体より遊技台下方に向かって突設されてなることを特徴とする請求項１記載の空気浄化装置。
【発明の詳細な説明】
【技術分野】
【０００１】
本発明は、空気の浄化・脱臭・殺菌を行う空気浄化装置に関し、特にパチンコ店等の遊技場におけるタバコの煙及びタバコ臭を効率良く処理することができる空気浄化装置に関する。
【背景技術】
【０００２】
パチンコ台やスロットマシン等の遊技台を設置する遊技場にあっては、遊技する人が長時間遊技する間に喫煙することが多いことから、室内には常にタバコ臭及びタバコ煙が充満している。このタバコの煙は、タバコを吸わない人のみならず、タバコを吸う人にあっても健康面・環境面からも好ましいものではないことから、遊技場は常時空気を浄化することが求められている。
【０００３】
そこで、室内の天井等にダクトを配設して、ここから室内の空気を取り込んで別途に設置されている空気浄化装置を用いて集中方式で空気浄化を行うことが通常行われている。しかし、この集中方式の空気浄化にあっては、かなり強力な能力を備えた装置であったとしても、喫煙者が吸うタバコの煙が天井等の空気取り入れ口に到達するまでの間に、かなりの時間浮遊するため、室内空間が広い場所ほど空気浄化効果が低くなるものであった。
【０００４】
そのため、遊技台の上部に１台ごとにコンパクトな空気浄化装置を配置することが案出され、これによれば遊技台前に着座している遊技する人が喫煙して生じるタバコの煙は、遊技台上部の空気浄化装置に取り込まれて消臭・浄化され、その結果清浄空気が吹き出されるというものである。
【特許文献１】特開平１１−２２６３５９号公報
【発明の開示】
【発明が解決しようとする課題】
【０００５】
しかしながら、遊技台ごとに設置された上述した従来の空気浄化装置であっても、遊技する人に対するタバコの煙の影響を皆無にすることはできなかった。すなわち、遊技する人が手に持つタバコは、遊技台の下部に配置された灰皿に位置していることが多いのであるが、この遊技台下部のタバコの煙を遊技台上部の空気浄化装置に短時間に吸い込ませるほどの大きな流速の空気流は、遊技台ごとに設置されるコンパクトな空気清浄装置では発生させることができなかった。また、上述した従来の空気浄化装置におけるフィルタと静電式空気清浄装置等だけでは、塵埃についてはある程度除去することができても、タバコの臭いなどのガス成分については除去しきれないものであった。
また、遊技場内に浮遊しているプラスに帯電している塵埃は、遊技台や他の装置に吸着して汚損していた。
さらに、常時運転している空気浄化装置は、多量の塵埃を吸着することからフィルタを頻繁に掃除したり、定期的に部品交換を行う必要があるが、その都度シマ（島）から空気清浄装置を取り外して行うことは、空気浄化装置の台数が多いことから多大な手間と時間を要するものであった。
【０００６】
そこで本発明にあっては、上述した課題を解決すべく、パチンコ店等の遊技場においてタバコの煙等をすばやく確実に取り込んで好適に脱臭・浄化することのできるとともに、プラスに帯電した塵埃が遊技台等に吸着して汚損することを防ぎ、かつフィルタの掃除や部品の交換保守を容易に行うことができる空気浄化装置の提供を目的とする。
【課題を解決するための手段】
【０００７】
上記目的を達成するため、本発明の空気浄化装置は、パチンコやスロットマシン等の遊技台の上部に設置され、タバコの煙等を吸い込む吸気部、該吸気部の後段に配設され吸気された空気中の比較的大きめの塵埃を吸着するプレフィルタ、該プレフィルタの後段に配設され除塵及び吸着脱臭を行う多機能フィルタ、該多機能フィルタの後段に配設され空気中のガス状成分を分解する光触媒手段と負イオンを放出することで正電荷に帯電している塵埃を除電して遊技台等への塵埃付着を抑える負イオン発生手段、浄化された空気を排気する排気部とからなることを特徴とする。
【０００８】
また、吸気部の吸気流路の全部又は一部には、立ち上がるタバコの煙をより速く捕集し吸引するためにプレフィルタ部分の空気流路の断面積よりも空気流通断面積を小さくしてなる吸気流路部を形成したことを特徴とする。
【０００９】
また、開閉自在な蓋部を前面に設け、プレフィルタ、多機能フィルタ、光触媒手段の交換及び保守点検を容易にすることを特徴とする。
【００１０】
また、吸気部の吸気流路部には、開口先端の吸気口に向かって開口面積を拡げてなる広口部を形成し吸気する空気の乱流を防ぐことを特徴とする。
【００１１】
また、吸気部は空気浄化装置本体より遊技台下方に向かって突設されてなることを特徴とする。
【発明の効果】
【００１２】
本発明の空気浄化装置は、パチンコやスロットマシン等の遊技台の上部に設置され、タバコの煙等を吸い込む吸気部、該吸気部の後段に配設され吸気された空気中の比較的大きめの塵埃を吸着するプレフィルタ、該プレフィルタの後段に配設され除塵及び吸着脱臭を行う多機能フィルタ、該多機能フィルタの後段に配設され空気中のガス状成分を分解する光触媒手段と負イオンを放出することで正電荷に帯電している塵埃を除電して遊技台等への塵埃付着を抑える負イオン発生手段、浄化された空気を排気する排気部とからなることで、パチンコ店等の遊技場におけるタバコの煙等に含まれる各種塵埃や臭い等のガス成分を除去し浄化し、かつ放出する負イオンで正電荷に帯電する塵埃を除電して遊技台等への吸着を抑えて好適な環境にすることができるものである。
【００１３】
また、吸気部の吸気流路の全部又は一部には、立ち上がるタバコの煙をより速く捕集し吸引するためにプレフィルタ部分の空気流路の断面積よりも空気流通断面積を小さくしてなる吸気流路部を形成したことで、吸気流路部で流路を狭められた空気は流速が大きくなり、この速い空気の流れにより上昇するタバコの煙をすばやく吸気部から取り入れて浄化することが可能となる。
【００１４】
また、開閉自在な蓋部を前面に設け、プレフィルタ、多機能フィルタ、光触媒手段の交換及び保守点検を容易にすることで、フィルタの掃除や保守点検、及び部品交換が容易に行えることとなる。
【００１５】
また、吸気部の吸気流路部には、開口先端の吸気口に向かって開口面積を拡げてなる広口部を形成し吸気する空気の乱流を防ぐことで、開口先端の吸気口における乱流を起こさずに、スムーズな層流とすることができ、これによりさらにすばやく吸気部から空気を取り入れることができる。
【００１６】
また、吸気部は空気浄化装置本体より遊技台下方に向かって突設することで、遊技台下方から立ち上がるタバコの煙をすばやく好適に捕集することができる。
【発明を実施するための最良の形態】
【００１７】
図１〜図５は、本発明に係る空気浄化装置１を示しており、２は前面パネル、３は塩面パネル２中央の第１の蓋部、４は前面パネル２左端の第２の蓋部、５は前面パネル２の下部に、その全幅に近い幅で形成されているスリット状の吸気部、６は吸気部５から取り込んだ空気が始めに通過する比較的大きな塵埃を除去するためのプレフィルタ、７はプレフィルタ６の後段に配設される蛇腹構造からなる除塵・脱臭作用のある多機能フィルタ、８は送風ファン、９はアセトアルデヒド等のタバコの臭いのガス成分を分解する光触媒を相対向する平行板に配設した光触媒プレート１０とこの光触媒を励起する紫外線ランプ１１とからなる光触媒部材、１２は針状放電電極１３を外部に向かって備えた負イオン発生部材である。１４は、空気清浄装置１を駆動制御する制御部である。１５は、浄化した空気を排気する排気部である。
【００１８】
前記プレフィルタ６は、粗いメッシュ状に成形された合成樹脂フィルタで、比較的大きい塵埃等を吸着するためのものである。そして目詰まりしないように、例えば毎日清掃することが望まれる。
【００１９】
前記多機能フィルタ７は、プレフィルタ６の後段に配設され、プレフィルタ６よりも細かに編み込まれたフェルト状のフィルタをプリーツ状や蛇腹状に形成することで表面積を増大させてプレフィルタ６よりも小さな塵埃を大量に目詰まりすることなく吸着することができるとともに、内蔵する多孔質活性炭によりアンモニア、酢酸等のタバコ臭を物理吸着する構造としている。また、プレフィルタ６ほど頻繁ではないが、目詰まりを防ぐべく定期的に清掃する必要があり且つ、吸着量が飽和状態になったときは適宜、新品に交換する必要もある。
【００２０】
前記送風ファン８は、多機能フィルタ７の後段に配設され、図２に示すごとく、空気浄化装置１の右下に配置された静圧が高く大風量のシロッコファンを用い、上下２段構造のケース本体１６の上段からの空気を取り入れて下段の中央部方向へと送風する。
【００２１】
前記光触媒部材９は、送風ファン８が空気を送出する方向に位置し、上下に並設する光触媒プレート１０の相対向する面に、光触媒として酸化チタンを角柱状に結晶化させて生成し、その間に光触媒励起用の紫外線ランプ１１を配置し、この空間に多機能フィルタ７で浄化された空気を流通させる構成としている。この光触媒部材９は、従来の光触媒のごとく酸化チタンにバインダーを混練して塗布する構成と異なり、結晶化させて生成させたことからすべて酸化チタンからなり、かつその表面に角柱状に凹凸があることから表面積が増大し、アセトアルデヒド分解特性、ホルムアルデヒド分解性能などのガス成分の光触媒効果がきわめて高いものである。
【００２２】
前記負イオン発生部材１２は、圧電トランス型高圧回路が発生する負極高電圧が印加され電子放射により負イオンを発生する針状放電電極１３を排気部中央から外部に向かって突出することで、光触媒部材９で浄化され排気部から送出される空気に乗せて負イオンを空気中に放出するものである。この大量に負イオンを放出することで、正電荷に帯電している塵埃を除電して遊技台や他の装置に吸着することを抑え、清潔な環境を維持することができる。
【００２３】
図４は、本実施例の空気浄化装置１の使用状態を示し、パチンコ等の遊技台１７の近傍のタバコ１８から立ち上がる煙１９が、パチンコ台１７上部に設置された空気浄化装置１の吸気部５から取り入れられる様子を表している。
【００２４】
吸気部５の吸気流路部２０には、図５に示すごとく、装置内におけるプレフィルタ６部分の空気流路の断面積よりも空気流通断面積を小さくしてなる狭口部２１を奥に設けている。そして、さらに狭口部２１から開口先端の吸気口２２に向かって開口面積を大きくした広口部２３を形成することで、吸気口における乱流を起こさずに、スムーズな層流とすることができ、これによりさらにすばやく吸気部５から空気を取り入れることができる。本実施例にあっては、吸気流路を狭めた狭口部２１を一部に形成しているが、これに限定されることなく吸気流路全部の空気流通断面積を小さくしてもよいものである。
【００２５】
前面パネル２の第１の蓋部３は、プレフィルタ６と多機能フィルタ７を取り出すためのものであり、特にプレフィルタ６の掃除のために頻繁に開閉使用するものである。第２の蓋部４は、光触媒部材９の保守点検や、紫外線ランプ１１の定期的な交換に際し開閉使用される。
【００２６】
図６は、本発明の空気浄化装置の他の実施例を示しており、空気浄化装置１の吸気部２４を前面パネル２５の下方に突設させたものである。このように吸気部２４を下向きにすることで、立ち上がるタバコ１８の煙１９を好適に捕集することができるものである。
【図面の簡単な説明】
【００２７】
【図１】本発明の空気浄化装置の斜視図である。
【図２】本発明の空気浄化装置の分解説明図である。
【図３】本発明の空気浄化装置の構成図である。
【図４】本発明の空気浄化装置の使用状態を示す説明図である。
【図５】本発明の空気浄化装置における吸気部を示す断面図である。
【図６】本発明の空気浄化装置の他の実施例の使用状態を示す説明図である。
【符号の説明】
【００２８】
１  空気浄化装置
２  前面パネル
３  第１の蓋部
４  第２の蓋部
５  吸気部
６  プレフィルタ
７  多機能フィルタ
８  送風ファン
９  光触媒部材
１０  光触媒プレート
１１  紫外線ランプ
１２  負イオン発生部材
１３  針状放電電極
１４  制御部
１５  排気部
１６  ケース本体
１７  遊技台
１８  タバコ
１９  煙
２０  吸気流路部
２１  狭口部
２２  吸気口
２３  広口部
２４  吸気部
２５  前面パネル
【図１】
2006281169.tif 000003
【図２】
2006281169.tif 000004
【図３】
2006281169.tif 000005
【図４】
2006281169.tif 000006
【図５】
2006281169.tif 000007
【図６】
2006281169.tif 000008